(57)【要約】【課題】屎尿を分離し、便槽と尿槽に溜める移動式貯蔵用コンテナの貯槽レベル検知機構と移動式貯蔵用コンテナの移送時の蓋を提供し、太陽光による乾燥、殺菌消毒を行う装置および方法。【解決手段】屎尿を分離し、分離した屎尿をそれぞれ溜める貯蔵用コンテナを具備し、回収するコンテナの貯槽量を検知し、表示する機構と、該コンテナの移送時にコンテナ内部の圧力変動による容器の変形、破損を防止する蓋と運搬、収集、乾燥、消毒工程を行う設備を提供する。【選択図】図２
2010260039.tif 000002
【特許請求の範囲】
【請求項１】
屎尿を分離し、その分離した屎尿をそれぞれコンテナに収集し、太陽熱を集熱する可動式屋根の下に設置し、屎尿それぞれを太陽熱により乾燥することを特徴とする無水屎尿処理装置。
【請求項２】
請求項１において、太陽熱を集熱する屋根に太陽電池を用いることを特徴とする無水屎尿処理装置。
【請求項３】
請求項１又は２において、
コンテナの中に収めた個別の尿を貯尿タンクに集合し、前記貯尿タンクから落差で尿を乾燥蒸発槽に穴あき配管で送りこみ、前記太陽熱を集熱する可動式屋根の下に乾燥蒸発槽を位置させ、尿の水分を蒸発乾燥させることを特徴とする無水尿処理装置。
【請求項４】
請求項１から３のそれぞれにおいて、
太陽熱を集熱した屎尿の乾燥室を密閉し、室内気圧を陽圧下で乾燥作業を行い、乾燥室と外気の差圧を持って排気を行う排気口を有することを特徴とする無水尿処理装置。
【請求項５】
請求項４において、
前記排気口にケミカルフィルタを設け、前記差圧を持たせるとともに、臭気対策とすることを特徴とする無水尿処理装置。
【請求項６】
請求項１から３のそれぞれにおいて、
屎尿を分離し、それぞれを利用するトイレシステムにおいて、分離した屎尿を収めるコンテナを貯槽する屎又は尿の量を感知する浮子を有することを特徴とする無水屎尿処理装置。
【請求項７】
請求項６において、
屎尿を収めるコンテナを貯槽する前記貯槽の量を感知する浮子に取り付けた表示機構を設けたことを特徴とする無水屎尿処理装置。
【請求項８】
請求項７において、
前記表示機構の表示器に太陽電池によって充電した蓄電池を電源とし、発光ダイオードを用いて表示することを特徴とする無水屎尿処理装置。
【請求項９】
請求項６から８のいずれかにおいて、
屎槽貯蔵用コンテナまたは尿槽貯蔵用コンテナを交換し、乾燥プロセス工程（乾燥室）に移送及び保管する場合において、内容物の漏れを防止する蓋を用いるとこを特徴とする屎尿貯蔵用コンテナ。
【請求項１０】
請求項９において、
前記コンテナ容器の蓋の構造をコンテナ内部の減圧または増圧に備え、圧力を逃がすことを特徴とする屎尿貯蔵用コンテナ。
【請求項１１】
請求項１から１０のいずれかにおいて、
屎尿を貯蔵したコンテナや空の前記コンテナ、容器の蓋および治具工具を、太陽熱を集熱する可動式屋根の下に保管することにより、それぞれを５０℃以上の高温にて殺菌し、衛生管理状態を保つことを特徴とする無水屎尿処理装置。
【請求項１２】
請求項１から１１のいずれかにおいて、
屎尿を貯蔵したコンテナや空の前記コンテナ、容器の蓋、運搬作業に使用する治具工具を、水洗し、天日乾燥し、再利用することを特徴とする無水屎尿処理方法。
【請求項１３】
請求項１から３のいずれかにおいて、
乾燥後の結晶化した尿、又は粉体化した屎を農業用の肥料又は土壌改良材として利用し、又は乾燥前の尿は、尿の成分を抽出する原料として尿を収集することを特徴とする無水屎尿処理方法。
【請求項１４】
請求項１から３又は７又は１０のいずれかにおいて、
太陽光発電の電力を用いて、揚水、集尿、結晶化した尿の収集、乾燥し粉体化した屎の粉体移送を行う電動機を駆動する電源とし、また、前記電動機の始動、停止、監視、制御を自動制御すること特徴とする無水屎尿処理システム。
【請求項１５】
請求項１から１４のいずれか又はそれぞれの組み合わせにおいて、
無水屎尿処理を行うことを特徴とする無水屎尿処理システム。
【発明の詳細な説明】
【技術分野】
【０００１】  本発明は、屎尿を回収し、肥料や土壌改良に利用する無水屎尿処理方法と無水屎尿処理トイレシステムに関する。
【背景技術】
【０００２】  従来、屎尿分離便器や、屎尿処理システムは、水道、電気、下水などを備えた環境で設置するものが一般的であった。【０００３】
【先行技術文献】
【特許文献】
【特許文献１】特開２００７−１９６０８１    公開公報
【特許文献２】特開２００７−１１１１４６    公開公報
【特許文献３】特開２００５−３０４９７０    公開公報
【特許文献４】特開２００５−３０４９６９    公開公報
【特許文献５】特開２００５−１４３７１８    公開公報
【特許文献６】特許４０２５２４４    特許公告  例えば、特許文献１には、
屎尿や生活雑排水の処理が可能な排水処理システムとトイレ装置によって、尿と屎とを分離し、微生物によって硝化、ＢＯＤ源を含有する排水を微生物により脱窒する脱窒部を備える排水処理システムが記載されている。【０００４】  また、特許文献２では、
悪臭を抑制し、また節水できる屎尿分離便器と、屎尿の利用と、施工コスト低減を図る共同トイレ・設備が記載されている。
そのトイレ設備である屎尿分離便器は、屎と尿を別々に受け、屎尿を分離収集する鉢部を有し、微生物の作用を利用し、複数個の屎尿分離・便器・が上下方向に整列配置され、屎を下方に屎用通路で導き、また、尿用鉢部で受けた尿を下方に導く尿用通路を備えた共同トイレ・設備が記載されている。【０００５】  また、特許文献３は、
網状部材を用い、屎と尿とを分離し、便受けの目詰りを防止するための目詰りを防止する針状突起を備え、掃除機構を設けた屎尿分離  便器  装置が記載されている。【０００６】  また、特許文献４には
屎尿の分離効率よく分離し、屎と尿とをそれぞれ屎槽或いは尿槽へ導く屎尿分離便器装置が記載されている。また、網状部材屎を便受け、尿を便受けの孔を通じて尿槽に落下させ、且つ便受け上に残った屎を便受けの回動運動により送出する屎尿分離便器装置が記載されている。
また、特許文献５には、
ローラコンベヤを用い、屎と尿を効率高く簡単に分離することのできる屎尿分離便器装置が記載されている。更に、特許文献６には尿から有価物として、マグネシウム、りん、アンモニアガスを連続的に回収する方法と装置が記載されている。
しかしながら、これらの発明は、水洗トイレのように上下水を前提としており、また、ベルト状の網や、ローラなどの駆動機構を有するために、その駆動力に電動機を用い、電気、水道、下水などインフラ施設を必要とするなどの課題があった。また、下水に流す場合、汚水処理施設を必要とし、また、その上澄みを河川に流した場合でも環境負荷はさけられない問題がある。
【発明の概要】
【発明が解決しようとする課題】
【０００７】  本発明は、水道、下水の使用を前提とせず、屎尿分離構造を有するトイレ構造であり、また、衛生的、屎尿の資源化、トイレ設備の低コスト化、設置の簡便さを実現することを目的とする。また、屎尿を分離し、それぞれ収集し、屎・尿を、太陽熱を利用し、発酵、脱水することを目的とする。
【課題を解決するための手段】
【０００８】  本発明の請求項１には、
屎尿を分離し、その分離した屎尿をそれぞれコンテナに収集し、太陽熱を集熱する可動式屋根の下に設置し、屎尿それぞれを太陽熱により乾燥することを特徴とする無水屎尿処理装置が記載されている。すなわち、昼間の太陽熱により、それぞれ分離した屎・尿の含む水分を蒸発乾燥させ、発酵を促進するとともに、夜間は屎・尿の自己発酵熱により乾燥を促進するものである。【０００９】  本発明の請求項２には、
請求項１において、太陽熱を集熱する屋根に太陽電池を用いることを特徴とする無水屎尿処理装置記載されている。すなわち、太陽電池の内、特に単結晶又は多結晶シリコン結晶系の太陽電池は、赤外光線を通過させ、裏面に伝熱特性の良い金属板を設ければ、太陽光による発電を行いながら、太陽電池の反射防止膜を介して通過した赤外線領域を中心とする熱を集光する効果がある。また、裏面を冷却ファンで冷却すれば、太陽電池の温度上昇による発電効率の低下を防止できるとともに、集熱した熱を冷却ファンによって発生する熱風を被乾燥物である屎尿に宛て、乾燥を促進することができる。【００１０】  又、本発明の請求項３には、請求項１において、
コンテナの中に収めた個別の尿を貯尿タンクに集合し、前記貯尿タンクから落差で尿を乾燥蒸発槽に穴あき配管で尿を分散しながら送りこみ、前記太陽熱を集熱する可動式屋根の下に乾燥蒸発槽を位置させ、尿の水分を蒸発乾燥させることを特徴とする無水尿処理装置が記載されている。コンテナによって運搬して来た個別の尿を貯尿タンクに集合し、貯尿タンクより下方に向かって落差を設け、前記落差を利用し、穴あき配管から第一の乾燥蒸発槽へ散布し、第一の乾燥蒸発槽の液堤を超えた尿が第二の乾燥蒸発槽に注がれ、さらに第三、第四の乾燥蒸発槽に注がれる。最終層の尿の水準が規定水準に達すると貯尿タンクと前記穴あき配管の間に設けた調整弁を閉じ、尿からの脱水を待つ。ここでは、落差を利用しての作業であり、動力を要せず作業が進行する。【００１１】  更に、本発明の請求項４には、請求項１から３のいずれかにおいて、
太陽熱を集熱した屎尿の乾燥室を密閉し、室内気圧を陽圧下で乾燥作業を行い、乾燥室と外気の差圧を持って排気を行う排気口を有することを特徴とする無水尿処理装置が記載されている。すなわち、該乾燥室は、屋根で太陽熱を集熱し、室内を昇温し、室内の空気が膨張し、また、屎尿の水分が蒸発し、室内気圧が上昇する。この気圧の上昇を利用し、排気口からの排気を行う。【００１２】  又、本発明の請求項５には、請求項４において、
前記排気口にケミカルフィルタを設け、前記差圧を持たせるとともに、臭気対策とすることを特徴とする無水尿処理装置が記載されている。排気口には排気圧を持たせるべくケミカルフィルタを有するため、室内圧力を高めるとともに、ケミカルフィルタによりアンモニアなどの臭気を除去することができる。前記ケミカルフィルタは、電動機により、フィルタ面を劣化しないように、徐々に移動させることもできる。この時の電動機を駆動する電力は太陽熱を集熱する屋根に設置された太陽電池によって発電された電力を用いる。また、アンモニアを除去するには、フィルタを水に浸漬させ、水に吸着させることもできる。【００１３】  更に、本発明の請求項６には、請求項１から３のいずれかにおいて、
屎尿を分離し、それぞれを利用するトイレシステムにおいて、分離した屎尿を収めるコンテナを貯槽する屎又は尿の量を感知する浮子を有することを特徴とする無水屎尿処理装置が記載されている。分離した屎尿を収めるコンテナは、コンテナの内容物である屎あるいは、尿の蓄積された水準を該浮子により、感知し、コンテナの交換時期を感知することができる。尿は、尿素やウロキナーゼなど成分を分離し利用する場合は、そのまま、分離精製工程に送るが、主に乾燥させ農業用肥料として用いる。【００１４】  更に、本発明の請求項７には、請求項６において、
屎尿を収めるコンテナを貯槽する前記貯槽の量を感知する浮子に取り付けた表示機構を設けたことを特徴とする無水屎尿処理装置が記載されている。すなわち、浮子がコンテナの内容物である屎または尿の蓄積が進むことにより、押し上げられて上昇し、一定水準に達すると該浮子の先端部に設けた転倒自在部によって転倒し、コンテナの交換水準となったことを表示する。また、この転倒機構を用いて、使用中の第一のコンテナ口と空の第２のコンテナの口を切り替えるために、切り替えバネを引いて転倒機構によって支えておき、転倒機構が作動した時、転倒機構によって支えがはずれ、コンテナ口に接続が第一のコンテナから第二のコンテナにバネの力で配管ルートを切り替えることもできる。【００１５】  更に、本発明の請求項８には、請求項７において、
前記表示機構の表示器に太陽電池によって充電した蓄電池を電源とし、発光ダイオードを用いて表示することを特徴とする無水屎尿処理装置が記載されている。前記浮子の先端部に設けた転倒したことを監視するスイッチにより、電気的に前記先端部転倒を検出し、発光ダイオードを点灯し、コンテナ交換時期に達したことを表示することができる。【００１６】  更に、本発明の請求項９には、請求項６から８のいずれかにおいて、
屎槽貯蔵用コンテナまたは尿槽貯蔵用コンテナを交換し、乾燥プロセス工程（乾燥室）に移送及び保管する場合において、内容物の漏れを防止する蓋を用いるとこを特徴とする屎尿貯蔵用コンテナが記載されている。コンテナの移動時には、内容物である屎または尿が漏れないための蓋をし、衛生状態を保つことができる。【００１７】  又、本発明の請求項１０には、請求項９において、
前記コンテナ容器の蓋の構造をコンテナ内部の減圧または増圧に備え、圧力を逃がすことを特徴とする屎尿貯蔵用コンテナが記載されている。コンテナの内圧は、温度により変動するため、密封状態とするとコンテナの変形や、過度な圧力上昇時には、コンテナの破裂や変形が生じ得る。そこで、一定圧力以上または、一定圧力以下の圧力で圧力を開放する解放弁を有するコンテナの蓋を備えている。【００１８】  更に、本発明の請求項１１には、請求項１から１０のいずれかにおいて、
屎尿を貯蔵したコンテナや空の前記コンテナ、容器の蓋および治具工具を、太陽熱を集熱する可動式屋根の下に保管することにより、それぞれを５０℃以上の高温にて殺菌し、衛生管理状態を保つことを特徴とする無水屎尿処理装置が記載されている。すなわち太陽熱を集熱する可動式屋根を有する乾燥工程室は、５０℃以上更に６０℃レベルとなり、室内にあるあらゆる物の殺菌消毒が可能であり、これによって、乾燥対象の屎尿は勿論のこと、コンテナ、容器の蓋および治具工具を殺菌消毒することができる。【００１９】  更に、本発明の請求項１２には、請求項１から１１のいずれかにおいて、
屎尿を貯蔵したコンテナや空の前記コンテナ、容器の蓋、運搬作業に使用する治具工具を、水洗し、天日乾燥し、再利用することを特徴とする無水屎尿処理方法が記載されている。乾燥後粉体化した屎尿は容易に且つ衛生的に保管が可能であるが、容器、治工具についても一旦水洗し、直射日光乾燥することにより、その後の再利用を行う上で更に衛生的に使用することができる。従って、空のコンテナや治工具水洗し、天日乾燥する領域を設け、再利用の汚れ対策、清浄化と日光消毒を行う。【００２０】  又、本発明の請求項１３には、請求項１から３のいずれかにおいて、
乾燥後の結晶化した尿、又は粉体化した屎を農業用の肥料又は土壌改良材とすることを特徴とする無水屎尿処理方法が記載されている。【００２１】  更に、本発明の請求項１４には、請求項１から４又は８又は１１のいずれかにおいて、
太陽光発電の電力を用いて、揚水、集尿、結晶化した尿の収集、乾燥し粉体化した屎の粉体移送を行う電動機を駆動する電源とし、また、前記電動機の始動、停止、監視、制御を自動制御すること特徴とする無水屎尿処理システムが記載されている。太陽電池パネルを当該システムの乾燥工程以外の屋根に設置し、発電した電力で蓄電池を充電し、またはそのまま電源として利用し、井戸ポンプの揚水や、粉体移送、また、電磁弁の開閉を行うことができる。【００２２】  更に、本発明の請求項１５には、請求項１から１４のいずれか又はそれぞれの組み合わせにおいて、無水屎尿処理を行うことを特徴とする無水屎尿処理システムが記載されている。
【発明の効果】
【００２３】  本発明によれば、有線電力供給設備、水道、下水の使用を必要とせずまた、トイレを製作する地域で得られる安い材料で製作することができ、低コストで屎尿分離後の利用システムを、衛生、資源化が容易に実現できることができる。また、電気、水道、下水の使用を必要としないことから、これら公共施設の無い地方において、又は都市から離れた電気、水道、下水の設置が難しい場所において、容易に設置できる利点がある。また、電気、水道、下水に依存しないことから、災害時にも使用上の制約を受けない利点がある。乾燥された大便は土壌改良材とし、尿も太陽熱で乾燥したものを肥料として利用できる。６ケ月程度、太陽熱により高温乾燥させる事によって、病原菌の消毒を行うことができるため、地下浸透による病原菌の汚染の伝搬や感染症を防止できるため、衛生的な環境を得ることができる。さらに、高温による雑草種子又は発芽制御が可能となる。また、下水を使用せず、従って、汚水処理を必要とせず、水質汚染を無くす事が可能となり環境汚染の軽減に寄与出来る。【００２４】  また、乾燥させた屎は有機肥料として、また、疲弊した土壌の改良に利用できる事、尿に含まれる窒素、燐酸、カリュウムは水で薄めて肥料としての利用可能であり、尿に含まれるウロキナーゼを医薬品としての利用も可能である。また、貯蔵用コンテナの使用により、集荷、移動、乾燥用貯蔵が容易に行える構造となっており、応用し易い利点がある。大地から得られた食糧が人体を経由し、最終的に自然の形で大地へ戻すことができる。すなわち、屎尿のみに限らず、本発明に係る貯蔵用コンテナの最終処分を考慮し、材料選定を行うことによって、自然環境への負荷軽減が可能である。例えば、貯蔵用コンテナ材料をＦＲＰとした場合でも、粉砕し、無機質と有機質を分離し、それぞれ燃料、建築構造物への再利用を可能とすることができる。【００２５】  上記の実施により、高価な公共下水道の敷設や処理場の施設建設費が軽減され、またさらに、回収する屎尿の費用は土壌改良材や肥料の販売益での補填が可能となる。
また、太陽光発電設備を併用すれば、電力送電を要することなく、独立電源が確保できる。該発電電力を使用し、電動機を動力源とする粉体移送や、用水の動力源として電動機を用い、また、自動制御も可能となった。【００２６】  以下に本発明を実施するための最良の形態を実施例に基づき説明する。
【図面の簡単な説明】
【００２７】
【図１】本発明におけるトイレの平面図を示す。
【図２】本発明におけるトイレの側面の断面図を示す。
【図３】洗水型トイレの場合の平面図を示す。
【図４】洗水型トイレの側面の断面図を示す。
【図５】本発明におけるフロート構造を示す。（浮子が内容物を感知していない状態）。
【図６】本発明におけるフロート構造を示す。（浮子が内容物を感知した状態）。
【図７】本発明におけるコンテナの圧力解放弁の側面断面図を示す。
【図８】本発明における移送用蓋の側面断面図を示す。
【図９】本発明における移送用蓋の平面図を示す。
【図１０】本発明における移送用蓋の取付け時の側面断面図を示す。
【図１１】本発明における圧力解放蓋の側面断面図を示す。
【図１２】本発明における圧力解放蓋の平面図を示す。
【図１３】本発明における圧力解放蓋の取付け時の側面断面図を示す。
【図１４】本発明における屎尿処理の太陽光発電システムによる制御回路図を示す。
【図１５】本発明における移動型太陽熱集熱屋根構造を示す。
【図１６】本発明における移動型太陽熱集熱屋根に取付けられた送風ファンを示す。
【発明を実施するための形態】
【実施例】
【００２８】  本発明の実施例を図１から図１５によって説明する。
図１は、本発明におけるトイレの平面図である。図において、トイレの踏石８の中心近傍に屎受け穴１を有し、屎は、直接直下に設置した屎用貯蔵用コンテナに落下し溜める。屎、尿はそれぞれ分離できているため、液跳ねによる汚染は無いが、便器には臭気防止用のふたを設けている。
衛生的に使用するために用足し後の屎用貯蔵用コンテナには、灰容器１３の中の木灰など植物灰を一握り屎受け穴に撒くことによって、水分の早期除去と虫の発生を防止できる。床板１２は、寿命の確保のため、耐食性のある素材として、材質を合成樹脂又は、軽量ダイキャスト素材とし、施工の単純化、工期短縮を図れる構造としている。また、床板１２の表面は、汚れにくく、滑りにくい撥水塗装や加工を施し、合成樹脂素材で成型し、使用者の滑り転倒防止をする。
図１の平面図において、トイレ入り口部分は、ドアの取付け位置の例をドア軌跡１１として表している。【００２９】  図２に本発明の実施例のトイレ側面断面図を示す。
屎尿分離便器２９の屎受け穴１は、下方向に直胴管で接続しており、屎分は、直下の屎槽貯蔵用コンテナ２に落下する構造である。直胴管部の側面から臭気抜き配管１０によって、臭気が上方に上がってくるのを防止する。一方、尿受３は、尿を導く尿用蛇管４に接続される尿穴に向かって傾斜を持ち、尿用蛇管４を経由し、図２の尿槽貯蔵用コンテナ５に溜める。植物油を使用前に少量流しておくことで、この尿用蛇管４に当該植物油が滞留し、尿が優先して尿槽貯蔵用コンテナ５にながれ、臭気対策ができる。屎尿分離便器２９は、前記屎受け穴１と尿受３で構成しており、屎尿分離を果たしている。【００３０】  架台は、鋼製アングル及び軽量形鋼を構造材として使用することによって、強度及び施工工期短縮を図る。また、構造材と基礎の結合はアンカーボルトで締結し、安定を保つ構造としている。さらに、トイレの壁面や屋根部材については、図１、図２の下部と容易に縫いつけが可能な構造としており、設置地域によって入手しやすく、コストの安い材料で製作可能なトイレ構造となっている。屎尿分離後、屎尿をそれぞれ太陽熱で数カ月乾燥させるため、衛生的であり、肥料や土壌改良材として屎尿の資源化ができること、また、汚水の発生もなく、環境負荷が低いシステムとして、さらに低コストトイレ設備であって、設置工事の簡便さも考慮したトイレシステムを実現できる。【００３１】  また、構造材と床板はボルト締めで容易に結合できるようにしている。
床板は、耐食性のある材質として、合成樹脂又は成型部材を用いる。そして、床板の表層仕上げはスリップ防止及び清潔さを保てる表面処理として、撥水塗装、またはコーティングを行う。同様に、足置き台についても、表層を撥水塗装、またはコーティングを行い、滑り転倒の防止処理を図る。便器と屎貯蔵用コンテナ２、尿貯蔵用コンテナ５の接続部のシール構造を持ち、接続部を設け、空のコンテナと交換する着脱作業を容易に行える構造としている。また、切り離し後、蓋を施し、移送を容易にできる構造としている。作業性を考慮し、該コンテナの内容物容量と風袋を含め、３０Ｋｇ程度としている。【００３２】  屎貯蔵用コンテナ２、尿貯蔵用コンテナ５は、太陽熱下で６ヶ月程度の期間、殺菌、熟成を行うため、都度交換し、利用するが、そのため、太陽光による紫外線や熱線による貯蔵用コンテナ寿命が低下することがない容器として、テフロン系塗装を内外に施した圧延鋼板や、同等性能の樹脂容器を用いる。さらに、屎コンテナには臭気抜き用換気筒を設置することもできる。また、屎貯蔵用コンテナ２、尿貯蔵用コンテナ５は、単純な構造にして、耐久性のあるタンク構造であり、運搬時は、転倒させ、転がし搬送が可能な形状としている。また、屎貯蔵用コンテナ２、尿貯蔵用コンテナ５内で粉体となった屎尿を屎貯蔵用コンテナ２または尿貯蔵用コンテナ５から取り出しが容易にできる接続開口部がとなっており、乾燥した屎尿の粉体を利用できる。【００３３】  また、図２本発明におけるトイレの側面の断面図である。浮子取付け栓３３により、屎、尿それぞれの蓄積量を感知する浮子３０の転倒により、屎尿のレベルの蓄積量を検知していることを示す。図において、  屎受け穴１の摺動管を上方行に摺動移動し、屎の蓄積量を検知した時点でトイレシステムから屎の入った屎槽貯蔵用コンテナ２を取り外し、開口部に移送用蓋３７、３８をそれぞれ螺合する。これによって屎槽貯蔵用コンテナ２の内容物の漏れを防止し、移送することができる。
図３は、図１に示す無水屎尿処理トイレシステムに水洗機能を持つ水洗型トイレの場合の平面図である。
また、図４は、洗水型トイレの側面の断面図である。水洗式のトイレシステムにおいても、無水屎尿処理トイレシステムと同様に屎尿分離処理および乾燥粉体化し、肥料、土壌改良を行うことができる。図２と同じく、屎槽貯蔵用コンテナ２及び尿貯蔵用コンテナ５に浮子取付け栓３３を取り付け、屎槽貯蔵用コンテナ２及び尿貯蔵用コンテナ５の内容物である屎尿の貯蔵量の把握ができる（図示せず）。【００３４】  図５は、本発明におけるフロート構造である。この図において、浮子取付け栓３３は、浮子３０、浮力伝達軸３１、回転軸３２、偏重軸３４からなり、この図においては、浮子が内容物を感知していない状態である。回転軸３２が浮子取付け栓３３のガイド管部分を抜け出して通過した時点で偏重軸３４が転倒し、この転倒したことによって、内容物レベルが貯蔵量の限界に達したことを感知することができる。
図６では、本発明におけるフロート構造である。この場合、浮子の状態が内容物を感知した状態である。
図７は、本発明におけるコンテナの圧力解放弁の側面断面図である。前述のように、圧力解放を自由に行っても良いが、図７のコンテナの圧力解放弁を用いることによって、コンテナ内部の圧力が減圧状態でも加圧状態においても加圧リリース弁３５、減圧リリース弁３６がそれぞれリリース弁のバネで抑制できない加圧・減圧状態に達すると圧力解放ができるものである。【００３５】  図８は、本発明における移送用蓋の側面断面図である。移送用蓋３７で内容物が移送時に漏れを生じないようにすることができる。移送用蓋３７の中央部は、コンテナの受け口部分の雄螺子部に旋回しながら容易に取り付けできる形状としているが、開栓時に、内圧変化又は螺子部の付着物により旋回が固い場合、当該部分にてこの原理で開栓を行うハンドルを用いることができる（図示せず）。
また、図９は、本発明における移送用蓋の平面図である。図において、移送用蓋３７、３８によって、内容物が移送時に漏れを生じないようにすることができる。【００３６】  図１０は、本発明における移送用蓋の取付け時の側面断面図である。図９における移送用蓋３７がコンテナの受け口部分の雄螺子部に旋回して固定している状態の側面図であり、また、移送用蓋３８がコンテナの浮子取付け栓３３を取り付ける雄螺子部浮子取付け栓３３の代わりに旋回して固定している状態の側面図である。
さらに、図１１は、本発明における圧力解放蓋の例を示す側面断面図である。この場合、先の図７で示すコンテナの圧力解放弁に代えより簡単な構造の圧力解放蓋を示す。
図において、圧力解放蓋３９の雌螺子部をコンテナの開口部の雄螺子に螺合し、固定する。太陽熱による昇温で、コンテナ内部の屎に含まれる水分は、開口部から放出され、乾燥することができる。【００３７】  図１２は、本発明における圧力解放蓋をコンテナの受け口部分の雄螺子部に旋回して固定している状態の平面図である。
また、図１３は、図１２における本発明における圧力解放蓋をコンテナの受け口部分の雄螺子部に旋回して固定している状態の取付け時の側面断面図である。【００３８】  さらに、図１４は、本発明における屎尿処理の太陽光発電システムによる制御回路図である。本発明における屎尿処理は、基本的に水道、電気、下水などの公共施設を必要とせず、電力の供給も無しに操業する仕組みとなっている。しかしながら太陽電池４０の入手も容易であり、太陽電池の表面は、反射防止膜を有していることから、集熱効果も高い。特に多結晶シリコンや、単結晶シリコンを使用した太陽電池の場合、太陽光のエネルギの１３％以上を電気エネルギとして取り出すことができる一方、赤外線は裏面側に通過する特徴がある。そこで、裏面側へ通過する赤外線などの熱線を後述する移動型太陽熱集熱屋根の昇温に充てれば、移動型太陽熱集熱屋根の加熱に集熱効果が利用できる。従って、太陽電池の表面の反射防止膜による集熱と同時に発電された電力も利用できるので、全ての作業を手作業で行うのではなく、使用設備・部品の水洗を行うための揚水、各種液体のレベルを感知するセンサの作動、粉体や液体の搬送制御のために電力が使用できる。また、この場合、有線電力送電を必要とせず、独立電力源として使用するこができるので、前記屎尿処理システムの動力源のみに限定することなく、広く電源としても使用できる。【００３９】  図において、太陽電池４０で発電した電力は、充放電制御回路４１によって過充電、過放電を防止しながら発電された電力を蓄電池に充電する。太陽光から得られた電力により、井戸水の揚水や貯水槽からの揚水を行い、水洗システム４２によって、本発明に係る治工具やコンテナの洗浄を行うことができる。また、乾燥し、粉体化した尿を乾燥槽からかきとり、収集するとともに粉体移送システム４３によって、保管タンクに移送する。粉体移送には螺旋回転子による粉体移送を行うこともできる。また、屎尿のレベル検知やセンサと電磁弁による流量制御や、レベル制御が行えるため、無人の屎尿処理システムを構築することができる。【００４０】  また、図１５は、本発明における移動型太陽熱集熱屋根の断面構造である。図において、屎槽貯蔵用コンテナ２を集合して収めた土台部分がわずかに段差を有し、高くなっており、移動型太陽熱集熱屋根の側板をこの土台部分に習い移動させることによって、屎槽貯蔵用コンテナ２の集合、設置作業を容易にしている。図１５においては、屋根が二重になっており、前述の屎槽貯蔵用コンテナ２の集合、設置作業時の横方向、縦方向の配列作業の自由度を上げ、作業性を良くしている。屎槽貯蔵用コンテナ２の配列配置作業が終わった時点で前述の土台部分の段差に沿わせて移動型太陽熱集熱屋根を移動して配置された屎槽貯蔵用コンテナ２を覆い、端面の扉を閉め乾燥作業が始まる。この図においては、屋根が二重構造になっているが、三重、四重にして更に乾燥室の面積を広げることも可能である。【００４１】  また、この多重構造のそれぞれの屋根の摺動部や側板摺動部さらに前述の土台と側板の摺動部には、それぞれ弾性体のシール構造を有し、乾燥室内部の気圧が摺動部から外部に漏れないようにしている。
また、移動集熱屋根４４の内面は、自然対流で屎尿の乾燥を行っても良いが、先の太陽光発電による電力で送風ファンを動作させ、乾燥室内部に強制対流をさせれば、乾燥作業が一層効果的に行える。更に、太陽電池は昇温により、電力変換効率が低下する特性を有するが、移動集熱屋根４４の内面を送風ファンで冷やせば太陽電池の裏面の昇温を抑えることができ、発電効率の低下を妨げることもできるため、乾燥の促進と発電効率低下防止の両面について効果を上げることができる。【００４２】  図１６は、本発明における移動型太陽熱集熱屋根に取付けられた送風ファンを示す。移動型太陽熱集熱屋根の外側は太陽電池モジュールが取り付けられており、発電しながら集熱を行うが、太陽電池モジュールを通過した赤外線は、移動型太陽熱集熱屋根の内側に伝熱する。この移動型太陽熱集熱屋根を送風ファンで冷却することにより、太陽電池の昇温を防ぎ、尚且つ乾燥室の被乾燥物の乾燥のための熱伝搬を良くする効果がある。
【産業上の利用可能性】
【００４３】  本発明の利用は、通常のトイレの構造のみに限らず、尻洗水を用いる慣習の地域にも尻洗水を用いる構造を持つことができる設計となっており、広く利用することができる。無水式の移動便槽としても利用できるため、仮設トイレとしても使用し易い。
【符号の説明】
【００４４】  １  屎受け穴    ２  屎槽貯蔵用コンテナ  ３  尿受          ４  尿用蛇管
５  尿槽貯蔵用コンテナ    ６  尻洗水    ７  洗水用蛇管    ８  足置き台
９  洗水槽    １０  臭気抜き配管      １１  ドア軌跡    １２  床  板
１３  灰容器    １４  蓋                １５  固定金具    １６  集熱板
１７  太陽光線  １８  台                １９  集熱板      ２０  排気口
２１  吸気口    ２２  搬入口            ２３  酸供給タンク
２４  尿タンク  ２５  尿供給バルブ      ２６  蒸発器      ２７  台車
２８  尿        ２９  屎尿分離便器      ３０  浮子        ３１  浮力伝達軸
３２  回転軸    ３３  浮子取付け栓      ３４  偏重軸
３５  加圧リリース弁          ３６  減圧リリース弁
３７、３８  移送用蓋          ３９  圧力解放蓋            ４０  太陽電池
４１  充放電制御回路          ４２  水洗システム
４３  粉体移送システム        ４４  移動集熱屋根          ４５  送風ファン
【図１】
2010260039.tif 000003
【図２】
2010260039.tif 000004
【図３】
2010260039.tif 000005
【図４】
2010260039.tif 000006
【図５】
2010260039.tif 000007
【図６】
2010260039.tif 000008
【図７】
2010260039.tif 000009
【図８】
2010260039.tif 000010
【図９】
2010260039.tif 000011
【図１０】
2010260039.tif 000012
【図１１】
2010260039.tif 000013
【図１２】
2010260039.tif 000014
【図１３】
2010260039.tif 000015
【図１４】
2010260039.tif 000016
【図１５】
2010260039.tif 000017
【図１６】
2010260039.tif 000018
【手続補正書】
【提出日】平成22年1月13日(2010.1.13)
【手続補正１】
【補正対象書類名】特許請求の範囲
【補正対象項目名】請求項２
【補正方法】変更
【補正の内容】
【請求項２】
請求項１において、
請求項１において、太陽熱を集熱する屋根に赤外光線を通過させる太陽電池を用いることを特徴とする無水屎尿処理装置。
【手続補正２】
【補正対象書類名】特許請求の範囲
【補正対象項目名】請求項６
【補正方法】変更
【補正の内容】
【請求項６】
請求項１から３のそれぞれにおいて、
屎尿を分離し、それぞれを利用するトイレシステムにおいて、分離した屎尿を収めるコンテナを貯槽する屎又は尿の量を浮子の先端部に設けた転倒自在部によって転倒し、コンテナの交換水準となったことを表示し、感知する浮子を有することを特徴とする無水屎尿処理装置。
【手続補正３】
【補正対象書類名】特許請求の範囲
【補正対象項目名】請求項７
【補正方法】変更
【補正の内容】
【請求項７】
請求項６において、
屎尿を収めるコンテナを貯槽する前記貯槽の量を浮子の先端部に設けた転倒自在部によって転倒し、コンテナの交換水準となったことを表示し、感知する浮子に取り付けた表示機構を設けたことを特徴とする無水屎尿処理装置。
【手続補正４】
【補正対象書類名】特許請求の範囲
【補正対象項目名】請求項８
【補正方法】変更
【補正の内容】
【請求項８】
請求項７において、
前記表示機構の表示器に太陽電池によって充電した蓄電池を電源とし、発光ダイオードを用いてコンテナの交換水準となったことを表示することを特徴とする無水屎尿処理装置。
【手続補正５】
【補正対象書類名】明細書
【補正対象項目名】０００９
【補正方法】変更
【補正の内容】
【０００９】  本発明の請求項２には、
請求項１において、太陽熱を集熱する屋根に赤外光線を通過させる太陽電池を用いることを特徴とする無水屎尿処理装置記載されている。すなわち、太陽電池の内、特に単結晶又は多結晶シリコン結晶系の太陽電池は、赤外光線を通過させ、裏面に伝熱特性の良い金属板を設ければ、太陽光による発電を行いながら、太陽電池の反射防止膜を介して通過した赤外線領域を中心とする熱を集光する効果がある。また、裏面を冷却ファンで冷却すれば、太陽電池の温度上昇による発電効率の低下を防止できるとともに、集熱した熱を冷却ファンによって発生する熱風を被乾燥物である屎尿に宛て、乾燥を促進することができる。
【手続補正６】
【補正対象書類名】明細書
【補正対象項目名】００１３
【補正方法】変更
【補正の内容】
【００１３】  更に、本発明の請求項６には、請求項１から３のいずれかにおいて、屎尿を分離し、それぞれを利用するトイレシステムにおいて、分離した屎尿を収めるコンテナを貯槽する屎又は尿の量を浮子の先端部に設けた転倒自在部によって転倒し、コンテナの交換水準となったことを表示し、感知する浮子を有することを特徴とする無水屎尿処理装置が記載されている。分離した屎尿を収めるコンテナは、コンテナの内容物である屎あるいは、尿の蓄積された水準を該浮子により、感知し、コンテナの交換時期を感知することができる。尿は、尿素やウロキナーゼなど成分を分離し利用する場合は、そのまま、分離精製工程に送るが、主に乾燥させ農業用肥料として用いる。
【手続補正７】
【補正対象書類名】明細書
【補正対象項目名】００１４
【補正方法】変更
【補正の内容】
【００１４】  更に、本発明の請求項７には、請求項６において、
屎尿を収めるコンテナを貯槽する前記貯槽の量を浮子の先端部に設けた転倒自在部によって転倒し、コンテナの交換水準となったことを表示し、感知する浮子に取り付けた表示機構を設けたことを特徴とする無水屎尿処理装置が記載されている。すなわち、浮子がコンテナの内容物である屎または尿の蓄積が進むことにより、押し上げられて上昇し、一定水準に達すると該浮子の先端部に設けた転倒自在部によって転倒し、コンテナの交換水準となったことを表示する。また、この転倒機構を用いて、使用中の第一のコンテナ口と空の第２のコンテナの口を切り替えるために、切り替えバネを引いて転倒機構によって支えておき、転倒機構が作動した時、転倒機構によって支えがはずれ、コンテナ口に接続が第一のコンテナから第二のコンテナにバネの力で配管ルートを切り替えることもできる。
【手続補正８】
【補正対象書類名】明細書
【補正対象項目名】００１５
【補正方法】変更
【補正の内容】
【００１５】  更に、本発明の請求項８には、請求項７において、
前記表示機構の表示器に太陽電池によって充電した蓄電池を電源とし、発光ダイオードを用いてコンテナの交換水準となったことを表示することを特徴とする無水屎尿処理装置が記載されている。前記浮子の先端部に設けた転倒したことを監視するスイッチにより、電気的に前記先端部転倒を検出し、発光ダイオードを点灯し、コンテナ交換時期に達したことを表示することができる。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
屎尿の分離手段と、その分離した屎尿をそれぞれコンテナへ収集する手段と、太陽熱を集熱するための可動式屋根とを有し、前記屎尿を分離し、収集したコンテナを前記可動式屋根で覆うことを特徴とする無水屎尿処理装置。
【請求項２】
請求項１において、太陽熱を集熱する屋根に赤外光線を通過させる太陽電池を用いることを特徴とする無水屎尿処理装置。
【請求項３】
請求項１から２のいずれか一項に記載の無水屎尿処理装置において、
屎尿を前記可動式屋根で覆い密閉し、太陽熱を集熱し、前記可動式屋根で覆った室内の気圧を陽圧下で乾燥作業を行い、前記可動式屋根で覆った室内と外気の差圧を持って排気を行う排気口を有することを特徴とする無水尿処理装置。
【請求項４】
請求項３において、
前記排気口にケミカルフィルタを設け、前記差圧を持たせるとともに、臭気対策とすることを特徴とする無水尿処理装置。
【請求項５】
請求項１から４のいずれか一項に記載の無水屎尿処理装置におけるトイレにおいて、
屎尿を分離し、それぞれを利用する前記トイレであって、分離した屎尿を収めるコンテナが、貯槽する屎又は尿の量を浮子の先端部に設けた転倒自在部が転倒することによって、コンテナの交換水準となったことを表示し、感知するための浮子を有することを特徴とする無水屎尿処理装置。
【請求項６】
請求項５において、
屎尿を収めるコンテナを貯槽する前記貯槽の量を浮子の先端部に設けた転倒自在部によって転倒し、コンテナの交換水準となったことを表示し、感知する浮子に取り付けた表示機構を設けたことを特徴とする無水屎尿処理装置。
【請求項７】
請求項６において、
前記表示機構の表示器に太陽電池によって充電した蓄電池を電源とし、発光ダイオードを用いてコンテナの交換水準となったことを表示することを特徴とする無水屎尿処理装置。
【請求項８】
請求項５から７のいずれか一項に記載の無水屎尿処理装置において、
屎槽貯蔵用コンテナまたは尿槽貯蔵用コンテナを交換し、前記可動式屋根で覆った室内での乾燥工程に移送及び保管する時に、内容物の漏れを防止する蓋を用いる屎尿貯蔵用コンテナを有することを特徴とする無水屎尿処理装置。
【請求項９】
請求項８において、
前記コンテナ容器の蓋の構造が、コンテナ内部の減圧または増圧に備え、圧力を逃がすことを特徴とする無水屎尿処理装置。
【請求項１０】
請求項１から９のいずれか一項に記載の無水屎尿処理装置において、
屎尿を貯蔵したコンテナや空の前記コンテナ、容器の蓋および治具工具を、太陽熱を集熱する可動式屋根の下に保管することにより、それぞれを５０℃以上の高温にて殺菌し、衛生管理状態を保つことを特徴とする無水屎尿処理装置。
【請求項１１】
請求項１から１０のいずれか一項に記載の無水屎尿処理方法において、
屎尿を貯蔵したコンテナや空の前記コンテナ、容器の蓋、運搬作業に使用する治具工具を、水洗し、天日乾燥し、再利用することを特徴とする無水屎尿処理方法。
【請求項１２】
請求項１から３のいずれか一項に記載の無水屎尿処理装置において、
乾燥後の結晶化した尿、又は粉体化した屎を農業用の肥料又は土壌改良材として利用し、又は乾燥前の尿は、尿の成分を抽出する原料として尿を収集することを特徴とする無水屎尿処理装置。
【請求項１３】
請求項１から２又は７から８のいずれか一項に記載の無水屎尿処理装置において、
太陽光発電の電力を用いて、揚水、集尿、結晶化した尿の収集、乾燥し粉体化した屎の粉体移送を行う電動機を駆動する電源とし、また、前記電動機の始動、停止、監視、制御を自動制御すること特徴とする無水屎尿処理装置。
【請求項１４】
請求項１から１０または１２から１３のいずれか一項に記載の無水屎尿処理装置を用いて無水屎尿処理を行うことを特徴とする無水屎尿処理方法。
【手続補正２】
【補正対象書類名】明細書
【補正対象項目名】０００８
【補正方法】変更
【補正の内容】
【０００８】  本発明の請求項１には、
屎尿の分離手段と、その分離した屎尿をそれぞれコンテナへ収集する手段と、太陽熱を集熱するための可動式屋根とを有し、前記屎尿を分離し、収集したコンテナを前記可動式屋根で覆うことを特徴とする無水屎尿処理装置が記載されている。すなわち、昼間の太陽熱により、それぞれ分離した屎・尿の含む水分を蒸発乾燥させ、発酵を促進するとともに、夜間は屎・尿の自己発酵熱により乾燥を促進するものである。
【手続補正３】
【補正対象書類名】明細書
【補正対象項目名】００１０
【補正方法】変更
【補正の内容】
【００１０】コンテナによって運搬して来た個別の尿を貯尿タンクに集合し、貯尿タンクより下方に向かって落差を設け、前記落差を利用し、穴あき配管から第一の乾燥蒸発槽へ散布し、第一の乾燥蒸発槽の液堤を超えた尿が第二の乾燥蒸発槽に注がれ、さらの第三、第四の乾燥蒸発槽に注がれる。最終層の尿の水準が規定水準に達すると貯尿タンクと前記穴あき配管の間に設けた調整弁を閉じ、尿からの脱水を待つ。ここでは、落差を利用しての作業であり、動力を要せず作業が進行する。
【手続補正４】
【補正対象書類名】明細書
【補正対象項目名】００１１
【補正方法】変更
【補正の内容】
【００１１】  更に、本発明の請求項３には、
請求項１から２のいずれか一項に記載の無水屎尿処理装置において、
屎尿を前記可動式屋根で覆い密閉し、太陽熱を集熱し、前記可動式屋根で覆った室内の気圧を陽圧下で乾燥作業を行い、前記可動式屋根で覆った室内と外気の差圧を持って排気を行う排気口を有することを特徴とする無水尿処理装置が記載されている。すなわち、該乾燥室は、屋根で太陽熱を集熱し、室内を昇温し、室内の空気が膨張し、また、屎尿の水分が蒸発し、室内気圧が上昇する。この気圧の上昇を利用し、排気口からの排気を行う。
【手続補正５】
【補正対象書類名】明細書
【補正対象項目名】００１２
【補正方法】変更
【補正の内容】
【００１２】  又、本発明の請求項４には、請求項３において、
前記排気口にケミカルフィルタを設け、前記差圧を持たせるとともに、臭気対策とすることを特徴とする無水尿処理装置が記載されている。排気口には排気圧を持たせるべくケミカルフィルタを有するため、室内圧力を高めるとともに、ケミカルフィルタによりアンモニアなどの臭気を除去することができる。前記ケミカルフィルタは、電動機により、フィルタ面を劣化しないように、徐々に移動させることもできる。この時の電動機を駆動する電力は太陽熱を集熱する屋根に設置された太陽電池によって発電された電力を用いる。また、アンモニアを除去するには、フィルタを水に浸漬させ、水に吸着させることもできる。
【手続補正６】
【補正対象書類名】明細書
【補正対象項目名】００１３
【補正方法】変更
【補正の内容】
【００１３】  更に、本発明の請求項５には、
請求項１から４のいずれか一項に記載の無水屎尿処理装置におけるトイレにおいて、屎尿を分離し、それぞれを利用する前記トイレであって、分離した屎尿を収めるコンテナが、貯槽する屎又は尿の量を浮子の先端部に設けた転倒自在部が転倒することによって、コンテナの交換水準となったことを表示し、感知するための浮子を有することを特徴とする無水屎尿処理装置が記載されている。
分離した屎尿を収めるコンテナは、コンテナの内容物である屎あるいは、尿の蓄積された水準を該浮子により、感知し、コンテナの交換時期を感知することができる。尿は、尿素やウロキナーゼなど成分を分離し利用する場合は、そのまま、分離精製工程に送るが、主に乾燥させ農業用肥料として用いる。
【手続補正７】
【補正対象書類名】明細書
【補正対象項目名】００１４
【補正方法】変更
【補正の内容】
【００１４】  更に、本発明の請求項６には、請求項５において、
屎尿を収めるコンテナを貯槽する前記貯槽の量を浮子の先端部に設けた転倒自在部によって転倒し、コンテナの交換水準となったことを表示し、感知する浮子に取り付けた表示機構を設けたことを特徴とする無水屎尿処理装置が記載されている。
すなわち、浮子がコンテナの内容物である屎または尿の蓄積が進むことにより、押し上げられて上昇し、一定水準に達すると該浮子の先端部に設けた転倒自在部によって転倒し、コンテナの交換水準となったことを表示する。また、この転倒機構を用いて、使用中の第一のコンテナ口と空の第２のコンテナの口を切り替えるために、切り替えバネを引いて転倒機構によって支えておき、転倒機構が作動した時、転倒機構によって支えがはずれ、コンテナ口に接続が第一のコンテナから第二のコンテナにバネの力で配管ルートを切り替えることもできる。
【手続補正８】
【補正対象書類名】明細書
【補正対象項目名】００１５
【補正方法】変更
【補正の内容】
【００１５】  更に、本発明の請求項７には、請求項６において、
前記表示機構の表示器に太陽電池によって充電した蓄電池を電源とし、発光ダイオードを用いてコンテナの交換水準となったことを表示することを特徴とする無水屎尿処理装置が記載されている。
前記浮子の先端部に設けた転倒したことを監視するスイッチにより、電気的に前記先端部転倒を検出し、発光ダイオードを点灯し、コンテナ交換時期に達したことを表示することができる。
【手続補正９】
【補正対象書類名】明細書
【補正対象項目名】００１６
【補正方法】変更
【補正の内容】
【００１６】  更に、本発明の請求項８には、
請求項５から７のいずれか一項に記載の無水屎尿処理装置において、
屎槽貯蔵用コンテナまたは尿槽貯蔵用コンテナを交換し、前記可動式屋根で覆った室内での乾燥工程に移送及び保管する時に、内容物の漏れを防止する蓋を用いる屎尿貯蔵用コンテナを有することを特徴とする無水屎尿処理装置が記載されている。コンテナの移動時には、内容物である屎または尿が漏れないための蓋をし、衛生状態を保つことができる。
【手続補正１０】
【補正対象書類名】明細書
【補正対象項目名】００１７
【補正方法】変更
【補正の内容】
【００１７】  又、本発明の請求項９には、請求項８において、
前記コンテナ容器の蓋の構造が、コンテナ内部の減圧または増圧に備え、圧力を逃がすことを特徴とする無水屎尿処理装置が記載されている。コンテナの内圧は、温度により変動するため、密封状態とするとコンテナの変形や、過度な圧力上昇時には、コンテナの破裂や変形が生じ得る。そこで、一定圧力以上または、一定圧力以下の圧力で圧力を開放する解放弁を有するコンテナの蓋を備えている。
【手続補正１１】
【補正対象書類名】明細書
【補正対象項目名】００１８
【補正方法】変更
【補正の内容】
【００１８】更に、本発明の請求項１０には、請求項１から９のいずれか一項に記載の無水屎尿処理装置において、
屎尿を貯蔵したコンテナや空の前記コンテナ、容器の蓋および治具工具を、太陽熱を集熱する可動式屋根の下に保管することにより、それぞれを５０℃以上の高温にて殺菌し、衛生管理状態を保つことを特徴とする無水屎尿処理装置が記載されている。すなわち太陽熱を集熱する可動式屋根を有する乾燥工程室は、５０℃以上更に６０℃レベルとなり、室内にあるあらゆる物の殺菌消毒が可能であり、これによって、乾燥対象の屎尿は勿論のこと、コンテナ、容器の蓋および治具工具を殺菌消毒することができる。
【手続補正１２】
【補正対象書類名】明細書
【補正対象項目名】００１９
【補正方法】変更
【補正の内容】
【００１９】更に、本発明の請求項１１には、請求項１から１０のいずれか一項に記載の無水屎尿処理方法において、
屎尿を貯蔵したコンテナや空の前記コンテナ、容器の蓋、運搬作業に使用する治具工具を、水洗し、天日乾燥し、再利用することを特徴とする無水屎尿処理方法が記載されている。乾燥後粉体化した屎尿は容易に且つ衛生的に保管が可能であるが、容器、治工具についても一旦水洗し、直射日光乾燥すれば、その後の再利用を行う上で更に衛生的に使用することができる。従って、空のコンテナや治工具水洗し、天日乾燥する領域を設け、再利用の汚れ対策、清浄化と日光消毒を行う。
【手続補正１３】
【補正対象書類名】明細書
【補正対象項目名】００２０
【補正方法】変更
【補正の内容】
【００２０】  又、本発明の請求項１２には、請求項１から２のいずれか一項に記載の無水屎尿処理装置において、
乾燥後の結晶化した尿、又は粉体化した屎を農業用の肥料又は土壌改良材として利用し、又は乾燥前の尿は、尿の成分を抽出する原料として尿を収集することを特徴とする無水屎尿処理装置が記載されている。
【手続補正１４】
【補正対象書類名】明細書
【補正対象項目名】００２１
【補正方法】変更
【補正の内容】
【００２１】更に、本発明の請求項１３には、請求項１から２又は６から９のいずれか一項に記載の無水屎尿処理装置において、
太陽光発電の電力を用いて、揚水、集尿、結晶化した尿の収集、乾燥し粉体化した屎の粉体移送を行う電動機を駆動する電源とし、また、前記電動機の始動、停止、監視、制御を自動制御することを特徴とする無水屎尿処理装置が記載されている。太陽電池パネルを当該無水屎尿処理装置の乾燥工程以外の屋根に設置し、発電した電力で蓄電池を充電し、またはそのまま電源として利用し、井戸ポンプの揚水や、粉体移送、また、電磁弁の開閉を行うことができる。
【手続補正１５】
【補正対象書類名】明細書
【補正対象項目名】００２２
【補正方法】変更
【補正の内容】
【００２２】更に、本発明の請求項１４には、
請求項１から１０または１２から１３のいずれか一項に記載の無水屎尿処理装置を用いて無水屎尿処理を行うことを特徴とする無水屎尿処理方法が記載されている。